(57)【要約】【課題】本発明は、皺寄り現象を低減することが可能である印刷装置を与えることを目的とする。【解決手段】本発明は印刷装置に係る。該装置は、リール上に巻かれたエンドレスウェブのコイルの形状で記録媒体を供給するリール、リールから印刷機構へと繋がる送り経路、ウェブを切断するよう送り経路に置かれた切断装置、及び、送り制御システムを有し、送り制御システムは、印刷装置が所定の操作状態にある際、コイルの外周表面上にウェブの切断端部を引き出すよう適合される、ことを特徴とする。【選択図】図１
2006150959.tif 000002
【特許請求の範囲】
【請求項１】
印刷装置であって、
リール（３２）と、前記リールから印刷機構（１８）へと繋がる送り経路（４０、４２）と、前記ウェブを切断するよう前記送り経路に置かれた切断装置（４４）と、送り制御システム（６０）とを有し、前記リールは、前記リール上に巻かれたエンドレスウェブ（３４）のコイル（６８）の形状で記録媒体を供給するようにされ、
前記送り制御システム（６０）は、前記印刷装置が所定の操作状態にある際、前記コイル（６８）の外周表面上に前記ウェブ（３４）の切断端部を引き出すよう適合される、ことを特徴とする、
印刷装置。
【請求項２】
前記所定の操作状態が、
−  前記印刷装置がスイッチを切られた状態と、
−  前記印刷装置がスタンバイに切り替えられた状態と、
−  印刷ジョブが完了した後、新しい印刷ジョブが入らずに所定の時間間隔が切れた状態と、
−  他のリールからの記録媒体が、印刷用に選択される状態と、
のうちの１つである、請求項１記載の印刷装置。
【請求項３】
前記コイル（６８）の外周に置かれ、前記コイル上に引き出された前記ウェブの先端部を、前記コイルから切り離し、前記送り経路（４０、４２）へと送るようにする、引離し構造（６６）を有する、
請求項１又は２記載の印刷装置。
【請求項４】
周囲空気の湿度を検出するよう湿度センサ（６４）を有し、
前記送り制御システム（６０）が、前記検出された湿度が所定の閾値を上回る場合に限り、前記ウェブを引き出すよう適合される、
請求項１乃至３のうちいずれか一項記載の印刷装置。
【請求項５】
前記印刷装置は、インクジェット印刷装置である、
請求項１乃至４のうちいずれか一項記載の印刷装置。
【請求項６】
前記プリンタは、熱溶解インクジェット印刷装置である、
請求項５記載の印刷装置。
【発明の詳細な説明】
【技術分野】
【０００１】
本発明は、リール上に巻かれたエンドレスウェブのコイルの形状で記録媒体を供給するリール、リールから印刷機構へと繋がる送り経路、ウェブを切断するよう送り経路に置かれた切断装置、及び、送り制御システムを有する、印刷装置に係る。更に特には、本発明は熱溶解インクジェット印刷装置に係る。
【背景技術】
【０００２】
記録媒体として用紙又は同様の媒体が使用される印刷装置において、用紙に皺が寄る傾向が、深刻な問題となることがあり得る。皺寄り現象は、用紙及び同様の材料が、周囲空気から湿気を吸収し、湿度含有量に従って伸縮する傾向がある、という事実にかかわる。典型的には、伸縮は、同方性（ｕｎｉｓｏｔｒｏｐｉｃ）であり、特には、用紙の繊維が主に向きを合わせられた方向で行われる。用紙において湿度に変化がある際は、用紙のより多湿の部分がより乾いた部分よりも拡張し、必然的に皺又は襞の発生をもたらす。
【０００３】
例えば、特に大型印刷機である、インクジェット印刷装置の典型的な設定においては、用紙は平らなシート支持板上を断続的に前進し、一方でキャリッジは用紙にわたって前後に動き、キャリッジ上に取り付けられたインクジェット印刷ヘッド部は、印刷された画像を形成するよう用紙上にインクの液滴を排出するよう加圧される。キャリッジは、比較的速い速度で動くため、用紙上に排出されたインクの液滴は、一定の収差を受け、何らかの異なる位置で用紙上に蒸着される。転位の量は、インクの液滴の移動距離に比例する。故に、皺が用紙上にある際、移動距離が均一ではなく、従って用紙上のインクの点の転位もまた不均一となり、印刷された画像の質が低下される。
【０００４】
熱溶解インクジェット印刷装置においては、インクは室温では硬質であり、典型的には液体インクの液滴が用紙上に噴出され得る前に、１００℃のオーダで融点を上回るまで加熱されなければならない。結果として、画像が印刷される際、用紙は、インクの高温によって熱せられ、用紙に吸収されていた水分の一部が蒸発する。これによって、印刷機構の域において紙の湿度変化がもたらされ、皺の発生が起こり得る。
【発明の開示】
【発明が解決しようとする課題】
【０００５】
本発明は、皺寄り現象を低減することが可能である印刷装置を与えることを目的とする。
【課題を解決するための手段】
【０００６】
本発明によれば、かかる目的は、上述された種類の印刷装置によって達成される。該印刷装置では、送り制御システムが、印刷装置が所定の操作状態にある際に、コイルの外周表面上にウェブの切断端部を引き出すよう適合される。
【０００７】
所定の操作状態は、例えば、印刷操作が完了されたか、又は印刷装置がスタンバイ・モードに入っている一方で、切断装置で切断されたウェブの先端部は送り経路に位置付けられる状態であり得る。続いて、送り経路に存在するウェブの端部は、特に空気湿度が高い際に、両方の側から周囲空気に露出され、従って大量の湿気を吸収し得る。ウェブがしばらくかかる状態におかれ、その後印刷操作が継続又は再開される場合、ウェブの先端部の高湿度含有量は、所望されない皺寄り減少をもたらす。しかしながら本発明によれば、ウェブの端部は、リールを逆方向に回転することによりコイル上に引き出される。結果として、ウェブの全長がコイル上に巻かれ、非常に少ない部分が周囲空気に露出される。これは、コイルの外側層においてさえも、ウェブの一表面がコイルの下方の層によって保護され、ウェブを通ろうとする空気が大きく低減するようにされるためである。故に、印刷作業が継続され、ウェブが再び送り経路に送られる際、ウェブの湿度含有量は低く、原則的に均一であり、結果として皺寄り傾向が抑えられる。
【０００８】
本発明のより特定の実施例及び更なる詳細は、従属請求項に記載される。
【０００９】
望ましくは、引離し構造は、コイルの外周近くに置かれ、コイル上に巻かれたウェブの先端部は、例えば空気吸入を用いてコイルの表面から確実に切離され得、送り経路へと案内され得る。故に、印刷装置がスイッチを入れられるか、又はスタンバイ・モードから印刷モードへと切り替えられる際に、ウェブは、ユーザの介入無しに印刷機構へと容易に供給され得る。
【００１０】
更には、印刷装置は、周囲空気の湿度を検出するよう配置された湿度センサを有し得る。送り制御システムの機能は、検出された湿度に依存し得、空気が比較的乾燥していて皺寄り傾向が低い際に、少なくとも印刷装置のスタンバイ期間中はウェブの先端部は引き出されずに切断装置内の場所に残されるようにされる。これにより、望ましい湿度状態下での印刷操作の再開がスピードアップされる。
【発明を実施するための最良の形態】
【００１１】
本発明の望ましい実施例は、図面を参照して説明される。
【００１２】
図１に示す通り、熱溶解インクジェット印刷装置は、フレーム１０（きわめて細い線で図示されるのみ）を有し、該フレームは、用紙マガジン１２と、フレーム１０の上側上で印刷機構１８に対して用紙のシート１６を送るよう適合された用紙送りシステム１４とを収容する。印刷機構１８では、シート１６は、真空システム（図示せず）を用いて穿孔されたシート支持板２０の平らな上方表面（印刷表面）に対して、巻き込まれる。キャリッジ２２は、図１中の図面の法線の方向にシート１６をわたって前後に動くよう配置され、その底部側において、シート１６に面する多数の熱溶解インクジェット印刷ヘッド部２４を運ぶ。故に、印刷ヘッド部２４を加圧することによって、画像の帯は、キャリッジ２２の各経路において印刷される。続いてシート１６は、矢印Ａによって示された方向において適切な長さの段階分を進められ、次の帯が印刷され得るようにされる。搬出構造２６は、トレイ２８上にシートを排出する。該トレイは、図示された例では、すでに印刷されたシート３０を収容する。シート支持板２０は、冷却速度、及び用紙上に蒸着された熱溶解インクの固化を制御するよう温度制御される。例えば、シート支持板２０の印刷表面の温度は３２℃で維持される。
【００１３】
用紙マガジン１２は、エンドレスウェブ３４の形状で印刷用紙を夫々供給する６本のリールの一式３２を有する。リール３２は、３つのレベルに配置され、各リールからのウェブ３４は、夫々関連された一組の送りローラ３６を用いて引き出される。ガイド板３８の配置は、用紙マガジン上側上で共通の送り経路４２へと統合する狭い送り経路４０の分岐されたシステムを定義付ける。一組の送りローラ３６は選択的に駆動され、ウェブ３４を、リール３２のうちの選択された１つから共通の送り経路４２へと送るようにする。リール３２は、異なる品質の用紙、及びプラスチックフィルム等の非用紙の記録媒体でもあり得る。更に、リール３２上のウェブは幅が異なり得、印刷されたシートは、異なる形式、例えばＡ４縦書式からＡ０横書式までの範囲で作られ得る。「エンドレスウェブ３４」という語は、リール３２上の紙の長さが、切断された寸法Ａ４又はＡ０と比較して長いことを意味する。典型的には、ウェブの長さは２０乃至２００メートルであるが、それより長くてもよい。
【００１４】
共通の送り経路４２から、選択されたウェブは、所望されたシートの長さにウェブを切断する切断構造４４を通って案内される。続いて、切断されたシート１６は、偏向のシステム、伸張ローラ４６、ガイド板４８をわたって、プラテン５０に案内され、プラテンからシート支持板２０上に繰り出される。
【００１５】
リール３２からプラテン５０までの途中、ウェブ３４及びシート１６は、夫々不可避的に周囲空気に露出され、その結果、特に周囲空気の相対湿度ＲＨが高い際に湿度を吸収する。図示された例では、用紙は、切断構造４４付近で周囲の空気に特に露出される。
【００１６】
用紙の湿度含有量が上昇する際、特に用紙中の繊維が主に方向付けられた方向に膨張する傾向がある。典型的には、これは、ウェブの長手方向に対して横断する方向である。シート１６は、かかる方向に膨張した後、シート支持板２０に達し、蒸着された熱溶解インクによって熱せられる際、用紙に含有される水分の一部は蒸発され、用紙はシートの幅方向に再度収縮する。故に、湿度変化が用紙に存在するため、シートの幅における随伴低減は、皺の発生につながる。
【００１７】
かかる皺の発生を低減するよう、ウェブ３４を、湿気のある周囲空気との接触から可能な限り保護することが有用である。これを達成するよう、用紙マガジン１２は、送り経路４２へと送られていたウェブ３４を、ウェブ３４が取られたリール３２上のコイルに戻すことができる。各リール３２は、図示されていないが、電気モータによって独立して駆動され、図１中の２つの上方のリール３２に対する点線６２によって示す通り、電気送り制御システム６０の制御のもとでいずれかの方向に回転し得る。
【００１８】
送り制御システム６０は、また、湿度センサ６４に接続される。図示された例では、センサ６４は、用紙が特に周囲空気に露出される用紙送り経路の一部分の近くで空気の湿度を検出し得る位置に配置される。
【００１９】
送り制御システム６０の機能は、図２乃至図４と合わせて詳細に説明される。
【００２０】
図２は、リール３２のうちの１つで用紙コイル６８から取られたウェブ３４状態が、切断装置４４を用いて切断された状態を図示する。ウェブ３４の先端部は、切断装置４４の位置で用紙送り経路に位置付けられるようにされる。切断されたシート１６は、図２中に図示されておらず、印刷される工程にある。丁度その時に新しい印刷ジョブがすでにプログラムされ、記録媒体がすでに送り経路にある同一のウェブ３４であるべきだとかかる印刷ジョブが特定した際、ウェブ３４は、印刷機構１８に向かって更に送られる。
【００２１】
一方、新しい印刷ジョブが印刷のキューにない場合、送り制御システム６０は、センサ６４によって検出された空気湿度を読み、空気湿度が４０％ＲＨである一定の閾値を上回る場合、例えば、カウンタは、切断装置４４が起動される瞬間にトリガされる。カウンタは、一定の時間間隔をカウントし、該時間間隔の長さは、検出された空気質度量に依存し得、空気湿度が高い際は時間間隔は短い。新しい印刷ジョブが入らずに時間間隔が終了する際は、リール３２は、図２中矢印Ａによって示される通り逆方向に駆動され、ウェブ３４を用紙送り経路から引き出し、コイル６８の外周上に戻すようにする。リール３２の回転は、ウェブ３４の先端部が引離し装置６６の位置に達したと検出された際に、停止される。故に、ウェブ３４の全長は、周囲空気に略露出されないコイル６８に圧縮された状態で格納される。かかる状態は、図３に図示される。
【００２２】
図２乃至図４に図示される通り、コイル３８は、任意でシェル７０に取り囲まれ得る。該シェルは、引離し構造６６の位置でのみ途絶され、コイル６８上のウェブの外側の層を周囲空気に対して保護する役割をなす。
【００２３】
ウェブ３４がコイル６８上に引き戻されるとき、又は独立して決定されたタイミングで、印刷装置は、スタンバイ・モードに入る。
【００２４】
新しい印刷ジョブが入る際、印刷装置は再度、操作モードにスイッチが入れられ、送り制御システム６０は、図４中矢印で図示される通り、リール３２を制御して前方方向に回転するようにさせる。同時に、引離し構造６６が起動され、空気吸入等によってコイル６８の外周からウェブの先端部を引き離すようにする。引離し構造６６は、リール３２の半径方向で可動であるよう取り付けられ、コイル６８の可変の厚さに対して適合するようにされる、ことが理解される。ホイール３２が前方方向に回転する一方、ウェブ３４の先端部は、送りローラ３６によって捉えられるまで前に押し出され、送り経路へと更に送られ、印刷操作が再開され得、新しいシート１７が切断及び印刷され得るようにされる。
【００２５】
図２に図示される状態において、検出された空気湿度が閾値を下回る場合、ウェブ３４は用紙送り経路に残され、新しい印刷ジョブが入る際に印刷工程が遅れることなく再開されうるようにされる。かかる場合において、ウェブは、コマンドが印刷装置のスイッチを完全に切るよう入れられた際に、コイル６８上に引き戻されるのみである。
【００２６】
図２に図示される状態において、カウントされた時間間隔が終了する前に新しい印刷ジョブが入った場合、又は空気湿度が低い際、新しい印刷ジョブが記録媒体は他のリールから取られるべきだと特定すると、図２に図示されるウェブ３４は、新しいウェブに対して送り経路を空けるよう、ある程度引き戻されなければならない。この時点で空気湿度が高い場合、ウェブ３４は、従来技術通り、その先端部がまだ送りローラ３６の間に挟まれて保持されるところまで引き戻されるのみであり、かかるウェブが再度必要とされる際に用紙送り経路へと容易に供給され得るようにされる。
【図面の簡単な説明】
【００２７】
【図１】本発明に従った熱溶解インクジェット印刷装置の用紙送りシステムの概略的な鉛直断面図である。
【図２】異なる状態における用紙送りシステムの一部分の拡大された該略図である。
【図３】異なる状態における用紙送りシステムの一部分の拡大された該略図である。
【図４】異なる状態における用紙送りシステムの一部分の拡大された該略図である。
【符号の説明】
【００２８】
１０  フレーム
１２  用紙マガジン
１４  用紙送りシステム
１６  シート
１８  印刷機構
２０  シート支持板
２２  キャリッジ
２４  熱溶解インクジェット印刷ヘッド部
２６  搬出構造
２８  トレイ
３０  印刷されたシート
３２  リール
３４  エンドレスウェブ
３６  送りローラ
３８  ガイド板
４０  送り経路
４２  共通送り経路
４４  切断構造
４６  伸張ローラ
４８  ガイド板
５０  プラテン
６０  送り制御システム
６２  送り制御
６４  センサ
６６  引離し構造
【図１】
2006150959.tif 000003
【図２】
2006150959.tif 000004
【図３】
2006150959.tif 000005
【図４】
2006150959.tif 000006